(57)【要約】【課題】  ハンドレール出入口を形成する安全装置を備えた乗客コンベアにおいて、この安全装置にキャスター付きバッグ等の異物が接触しての不要な運転停止事象を排除する一方、手先の挟まれや破損防止機能をも備えた保護装置を提供することにある。【解決手段】  この問題を解決するため本発明は、無端状に移動するステップ３およびハンドレール４と、ステップ３の側部を塞ぐスカートガード５と、終端部５Ａから突出してハンドレール４の出入口を形成する安全装置７等を備えたものにおいて、前記ハンドレール４の縁部とは一定の間隔Ｗを置いて前記安全装置７の側部を被うように直立するとともに、安全装置７の内側と外側の両方あるいはいずれか一方に設けられた側部保護片８と、この側部保護片８を前記終端部５Ａに固定できる構造で、かつ前記間隔Ｗ内に異物が進入した場合、該間隔Ｗを拡大するように回転的開口が可能な蝶番体９とで構成される保護装置１０を備えるなどの構造とした乗客コンベア１とした。【選択図】図２
2016216257.tif 000002
【特許請求の範囲】
【請求項１】
無端状に連結されて両乗降口間を移動するステップおよびハンドレールと、両乗降口間のステップ側部を塞ぐスカートガードと、その周縁でハンドレールの往路移動を案内する欄干と、スカートガードの終端部から乗降口側に突出してハンドレールの出入口を形成する安全装置等を備えた乗客コンベアにおいて、前記ハンドレールの縁部とは一定の間隔を置いて前記安全装置の側部を被うように直立するとともに、この安全装置の前部よりも突出して設けられ、前記安全装置の内側と外側の両方あるいはいずれか一方に設けられた側部保護片と、この側部保護片を前記スカートガードの終端部に固定できる構造で、かつ前記間隔内に異物が進入した場合、該間隔が拡大する構造の蝶番体とで構成される保護装置を設けたことを特徴とする乗客コンベア。
【請求項２】
請求項１の構成に加えて、前記ハンドレールの反転表面部とは一定の間隔を置いて前記安全装置の底部を被うように、この安全装置の前部よりも突立して設けられた底部保護片で構成される保護装置を設けたことを特徴とする乗客コンベア。
【請求項３】
請求項１および請求項２の構成に加えて、前記側部保護片に対して横方向からの外力が発生した場合、その側部保護片の上端部が前記欄干の構成部材に接触してその外力に抗する構成とする一方、その側部保護片の下端部が前記底部保護片に接触してその外力に抗する構成としたことを特徴とする乗客コンベア。
【発明の詳細な説明】
【技術分野】
【０００１】  本発明は、無端状に連結されて移動するステップとハンドレール等を備えるエスカレーターや動く歩道の乗客コンベアに係り、特にそれの安全装置の保護装置に関する。
【背景技術】
【０００２】  一般に乗客コンベアは、無端状に連結されて両乗降口間を移動するステップとハンドレールの主要装置により乗客輸送するもので、そのハンドレールの出入口部分には主として幼児童の手先の引き込み事故を防止するため、ゴム製の保護体（通称：インレット）と、その中に手先進入等で外力を受けた時、電気的に反応して運転を停止させるスイッチを内蔵したハンドレール出入口安全装置を備えている。ここで、この安全装置はいたずら好きな幼児童の手先引き込まれ時の重傷化防止機能を発揮している一方で、近時使用が常態化しているキャスター付きバッグやベビーカートをこの安全装置に衝突させてしまう事例が頻発し、それによる急停止が原因の転倒事故がより深刻化している。【０００３】  このため、該安全装置に対してキャスター付きバッグ等の衝突を防止する目的から、安全装置の内側であるステップ側のスカートガード終端部に保護片を固定的に設ける事例が多くなっている。それに最も近い公知例は、特許文献１に開示されて知られている。
【先行技術文献】
【特許文献】
【０００４】
【特許文献１】特開２０１２−１０６８４８号公報
【発明の概要】
【発明が解決しようとする課題】
【０００５】  特許文献１は、それの請求範囲に記載があるように単に「安全装置の側方を被うようにスカートガードから延出された保護装置」を設けたもので、「ある対象物の衝突を遮断する仕切り体」と言える。しかしながら、この保護装置と動くハンドレールの間に新たに形成される一定間隔（通常、５〜２０ｍｍ）の空間が新たな挟まれ部位を形成し、幼児童がいたずらでここに手先を差し入れて挟まれた場合の裂傷や骨折事故が危惧されている。【０００６】  また、乗降口のうち、特に乗り口側においては上記キャスター付きバッグやベビーカートなどが該保護装置の正面側から接近する位置関係で、かつ保護装置自身が剛体であるために、その保護装置の構造上避け得ない角（かど）や端部に引っ掛かったバッグ等の異物が破損したり、最悪の場合、保護装置そのものが破損し、鋭利な部分が出現するなどして人身事故の原因となる、安全上より深刻な問題も危惧されている。【０００７】  本発明は、ハンドレール出入口を形成する安全装置にキャスター付きバッグ等が接触して不要な運転停止事象を防止する一方、手先の挟まれや破損防止機能を有する保護装置を備えた乗客コンベアを提供することを目的とする。
【課題を解決するための手段】
【０００８】  本発明は、上記問題を解消するため、請求項１の乗客コンベアは、無端状に連結されて両乗降口間を移動するステップおよびハンドレールと、両乗降口間のステップ側部を塞ぐスカートガードと、その周縁でハンドレールの往路移動を案内する欄干と、スカートガードの終端部から乗降口側に突出してハンドレールの出入口を形成する安全装置等を備えた乗客コンベアにおいて、前記ハンドレールの縁部とは一定の間隔を置いて前記安全装置の側部を被うように直立するとともに、この安全装置の前部よりも突出して設けられ、前記安全装置の内側と外側の両方あるいはいずれか一方に設けられた側部保護片と、この側部保護片を前記スカートガードの終端部に固定できる構造で、かつ前記間隔内に異物が進入した場合、該間隔が拡大する構造の蝶番体とで構成される保護装置を設けたのである。【０００９】  請求項２の乗客コンベアは、前記ハンドレールの反転表面部とは一定の間隔を置いて前記安全装置の底部を被うように、この安全装置の前部よりも突出して設けられた底部保護片を設けたのである。【００１０】  請求項３の乗客コンベアは、前記保護装置を構成する側部保護片に対して横方向からの外力が発生した場合、その側部保護片の上端部が前記欄干の構成部材に接触してその外力に抗する構成とする一方、その側部保護片の下端部が前記底部保護片に接触してその外力に抗する構成としたのである。
【発明の効果】
【００１１】  上記請求項１の構成によれば、該保護装置を構成する側部保護片と動くハンドレールの間に新たに形成される一定間隔（通常、５〜２０ｍｍ）の空間に幼児童がいたずらで手先を差し入れた場合、本発明になる蝶番体の回転作用により側部保護片の通常５〜２０ｍｍである一定間隔を例えば３０〜５０ｍｍに回転的に開口し、進入した手先の強圧迫（挟み込み）を回避することにより、従来のような裂傷、骨折などの負傷事故を防止するものである。【００１２】  また、特に乗り口側において該保護装置の正面側から進行するキャスター付きバッグやベビーカートなどの異物が、側部保護片の角（かど）や端部に引っ掛かって異物が破損したり、側部保護片そのものが破損して人身事故の原因を作るという従来の問題点についても上記と同様、蝶番体の回転的開口作用により異物の引っ掛かりを解除するものである。さらに、上記構成で危惧されるのは上記安全装置を被う側部保護片に横方向からの外力が生じ、側部保護片が倒れて安全装置の側方を押し込み、その結果、安全装置の一部がハンドレールに接触して運転を停止させるという不具合（転倒事故等）であるが、その場合は請求項２および請求項３に記載のように側部保護片の上端部が欄干の構成部材に、下端部が底部保護片に接触してそれ以上の内側への変形を阻止するストッパー機能により解決される。
【図面の簡単な説明】
【００１３】
【図１】本発明の一実施形態を示す部分側面図である。
【図２】本発明の図１のＸ−Ｘ線に沿う部分側面図である。
【図３】本発明の図２のＹ−Ｙ線に沿う部分断面図である。
【図４】本発明の図２のＺ−Ｚ線に沿う部分断面図である。
【発明を実施するための形態】
【００１４】  以下、本発明による乗客コンベアの一実施の形態を図１〜図４に基づいて説明する。
【００１５】  図において、本発明の対象として例示した乗客コンベア１は、エスカレーター方式であり、一方の乗降口２から図示を省略する他方の乗降口にかけての両乗降口間を、無端状に連結されて移動するステップ３とハンドレール４、両乗降口間におけるステップ３の側部を塞ぐスカートガード５、それの周縁でハンドレール４の往路移動を案内する欄干６、スカートガード５の端部となる終端部５Ａから乗降口２側に５０ｍｍほどの符号Ｌだけ突出してハンドレール４の出入口（入口のみの場合もある）を形成する安全装置７等により構成されている。そして、安全装置７はスカートガード５の終端部５Ａに固定された状態で、ハンドレール４の外周とは３ｍｍほどの符号ｇの開口部を有するゴム製で箱状をなす保護体７Ａで被われ、その中にはマイクロスイッチ（図示省略）が設けられてハンドレール４が入り込む方向に幼児童の手先が進入した場合に運転を停止させる電気回路を構成する一方、その上方には、欄干６を構成する内デッキカバー６Ａ、欄干パネル６Ｂ、外デッキカバー６Ｃ等を備えている。
【００１６】  このような構成は従来と同様であるが、本発明では安全装置７の内側（ステップ３側）と外側の両方あるいはいずれか一方に終端部５Ａから長さＬだけ突出する安全装置７と同等に突出（望ましくは、Ｌよりも長く突出）する一方、一辺がスカートガード５の終端部５Ａに固定できる構造で、ハンドレール４の縁部とは一定の間隔Ｗを置いて安全装置７の側部を被うように直立するとともに、安全装置７の前部よりも突出する長さで設けられ、その上辺部８Ａは欄干パネル６Ｂとは隙間Ｇを有するように逆Ｌ字に曲げられた形状の側部保護片８を配置し、かつその下辺部８Ｂには、隙間Ｗ内に手先などの異物が進入した場合、該間隔Ｗが回転的に拡大する構造の蝶番体９で構成される保護装置１０を設けたのである。なお、蝶番体９はその一辺が側部保護片８にビスａで固定され、他の一辺はビスｂにより終端部５Ａに対して強固に固定される構造となっている。
【００１７】  ここで、本発明の保護装置１０は、側部保護片８とハンドレール４の内側の縁部（図３に想像線Ｓで示す）との間の一定の間隔Ｗの空間（図２に記載）に幼児童が手先Ｗａ（図３に記載）を差し込んだ場合、蝶番体９の回転的な開口作用により図３の想像線ＺＺで示すように当初の位置から移動してＷｂだけ開口し、その手先等を強圧迫しない構成としている。この場合、図３に符号θで示したように最大９０度（終端部５Ａに接触するまで）開口でき、保護片８の角にキャスター付きバッグ等を引っ掛けた場合も同様に安全側に回転的に開口することにより、それら異物の引っ掛かりを解除し、保護するものである。
【００１８】  また、本発明は保護装置１０の一要素として、安全装置７の底部を保護するための底部保護体１１を備えている。その構造は、安全装置７の底部にあって終端部５Ａにビスｃで固定されるとともに、その長手方向は、安全装置１０の突出寸法Ｌよりも長く、その幅方向は安全装置７とほぼ同様で側部保護体８とは、間隔Ｊ（前記隙間Ｇと同一）を置いて配置されている。そして、この底部保護体１１は主として、ハンドレール４の反転表面部側（図２の状態のハンドレール４の下面）から手先を差し入れるなどのいたずらを阻止するとともに、乗降口２の床面を転がってきた異物（例えば球体）によって安全装置１０を動作させることとを防止する目的で設けられている。
【００１９】  さらに、本発明を構成する側部保護片８は蝶番体９の回転的開口によって異物の引っ掛かりは解除されるものの、側部保護片８の開口方向とは反対方向への変形、すなわちステップ３側である横方向からの外力が作用した場合の破損等が危惧されようが、それに対しては次のように対処している。すなわち、乗降口２付近においてキャスター付きバッグ等の異物を保護装置１０に対して横方向から図２の矢印Ｆのように衝突させた場合、側部保護片８の上辺部８Ａが欄干部材である欄干ガラス６Ｂとの隙間Ｇを閉じて接触したときは欄干ガラス６Ｂが、あるいは側部保護片８の下辺部８Ｂが隙間Ｊを閉じて接触したときは底部保護片１１がストッパーとなって、さらなる変形が阻止され、従来のように例えば保護体７Ａとハンドレール４との開口部（隙間）ｇを閉じて接触し、保護体７Ａが引き込まれることによる運転停止事象は完全に排除することができる。
【００２０】  なお、上記の説明では保護装置１０を乗降口２の内側であるステップ３およびスカートガード５側にのみ配置した例について述べたが、本発明はこれに限定されるものではなく、図２に想像線で示したように保護装置１０とは反対向きの側部保護片８８と蝶番体９９を安全装置７の外側に追加配置する構成でも何ら問題はない。このように、側部保護体８および８８、蝶番体９および９９を内側のみか、外側との両方かの選択は、乗客コンベア１が建屋壁に近接して幼児童がいたずらできない設置レイアウトの場合に内側のみに配置する等判断すればよい。上記のように本発明の保護装置１０は、側部保護片８プラス蝶番体９（あるいは側部保護体８８プラス蝶番体９９）からなる二要素と、この二要素に対して底部保護体１１を加えた三要素構造を発明範囲としている。
【産業上の利用可能性】
【００２１】  以上説明したように、本実施形態によれば、ハンドレール出入口の安全装置に作用するいたずらや異物接触による外力の悪影響を排除できる安全性の高い乗客コンベアを提供できる。さらに、上記実施の形態は、一般のエスカレーターを例に説明したが、隣接ステップ同士に段差を有しない動く歩道と通称される乗客コンベアにもそのまま適用することができる。
【符号の説明】
【００２２】１    乗客コンベア
２    乗降口
３    ステップ
４    ハンドレール
５    スカートガード
５Ａ  終端部
６    欄干
６Ｂ  欄干パネル
７    安全装置
８、８８  側部保護片
８Ａ  上辺部
８Ｂ  下辺部
９、９９  蝶番体
１０  保護装置
１１  底部保護片
【図１】
2016216257.tif 000003
【図２】
2016216257.tif 000004
【図３】
2016216257.tif 000005
【図４】
2016216257.tif 000006